(57)【特許請求の範囲】
【請求項１】
原稿を位置決めする開口部を有する原稿ガイドと、
前記原稿ガイドに回動可能に接続され、前記原稿を照射する面光源を有する光源ユニットと、
前記原稿を置く原稿台と、前記原稿ガイドを前記原稿台上に位置決めする位置決め部と、前記原稿を透過する光を電気信号に変換する光センサを有する読み取り装置本体と、
を備えることを特徴とする透過原稿読み取り装置。
【請求項２】
前記原稿を保持し、前記開口部に脱着自在に嵌合する原稿ホルダを備えることを特徴とする請求項１記載の透過原稿読み取り装置。
【請求項３】
前記原稿ガイドの前記開口部の周囲の内周面は、前記原稿ガイドの上面側から下面側に向けて前記開口部が狭くなるように傾斜していることを特徴とする請求項１または２のいずれかに記載の透過原稿読み取り装置。
【請求項４】
前記原稿ガイドは、白基準読み取り用のスリットを有することを特徴とする請求項１〜３のいずれかに記載の透過原稿読み取り装置。
【請求項５】
前記原稿ホルダは、外周に前記開口部から突出する取っ手を有することを特徴とする請求項２記載の透過原稿読み取り装置。
【発明の詳細な説明】
【０００１】
【発明の属する技術分野】
本発明は、光源と透過原稿を所定の位置に固定することができる透過原稿読み取り装置に関する。
【０００２】
【従来の技術】
画像読み取り装置は、例えばフラットベッド型の場合、箱型の筐体の上面に、ガラス等の透明板からなる原稿台が設けられている。筐体の内部には、駆動装置により原稿台に平行に移動するキャリッジが設けられている。このキャリッジには、光源と多数の光電変換素子を並べたラインセンサとが搭載されている。
【０００３】
写真フィルムやＯＨＰシート等の透過原稿を読み取る場合、原稿台の上方にキャリッジの移動に伴って移動する光源または面光源が設けられている。
【０００４】
透過原稿の画像を読み取るときは、原稿台に置かれた原稿に光源から光を照射し、原稿からの透過光を集光レンズによりラインセンサに集光し、キャリッジを移動させつつ検出して原稿の濃淡を電気信号に変換する。
【０００５】
【発明が解決しようとする課題】
ところが、原稿を読み取る場合、原稿は読み取り装置本体の原稿台の上に原稿台の周辺部にあるガイドを参考にして目視で直接置くために読み取りの位置および方向がずれやすいため、読み取りの位置および方向を正確に固定する必要がある。
【０００６】
特に、複数の原稿を取り扱う場合、読み取りの位置および方向を正確に合わせる作業は非常に煩わしく長時間を要するという欠点がある。
【０００７】
本発明の目的は、面光源部と原稿の位置合わせをするガイドとを一体化させたユニットを既存の画像読み取り装置の原稿台の上面に嵌め込んで固定することによって、光源部と原稿の読み取り位置および方向を、常に読み取り装置の適正な位置を保ち、位置合わせ作業を容易にした透過原稿読み取り装置を提供することにある。
【０００８】
また、本発明の別の目的は、光源部に一体化した位置合わせガイド内部に嵌め込むことで位置合わせ作業を容易にした原稿ホルダを提供することにある。
【０００９】
【課題を解決するための手段】
本発明の請求項１に記載の透過原稿読み取り装置によると、写真用フィルムやＯＨＰシート等の原稿に光を照射するための面光源を有する光源ユニットと、原稿の読み取り位置および読み取り方向を正確な状態に固定するための原稿ガイドと、透過した光の量から原稿の読み取りを行う読み取り装置本体とを備えている。光源ユニットと原稿ガイドはヒンジ等により回動可能な状態の接続部で一体化されている。一体化された光源ユニットと原稿ガイドは、読み取り装置本体上面の原稿台周辺部より低くなった原稿台上に嵌め込むことで既存の読み取り装置本体と固定することができる。これにより光源と原稿と読み取り装置本体との位置が常に一定となり、光源の位置と原稿の読み取り位置および方向を、読み取り装置の適正な読み取り領域に固定することができる。
【００１０】
本発明の請求項２に記載の透過原稿読み取り装置によると、原稿ガイドの開口部には、脱着自在な原稿ホルダを嵌め込むことができる。この原稿ホルダ内部に写真用フィルム等の原稿を差し込むことで位置を定めた状態で原稿を保持することができる。この原稿ホルダの形状および大きさは、原稿ガイドの開口部とほぼ同一であるため、原稿を保持した状態の原稿ホルダを原稿ガイドの開口部に嵌め込むだけで適正な読み取り位置に合わせることができ、繰り返し複数の原稿を読み取るときの位置合わせが容易である。
【００１１】
本発明の請求項３に記載の透過原稿読み取り装置によると、原稿ガイドの開口部の周囲の内周面は、原稿ガイドの上面側から下面側に向けて開口部が狭くなるように傾斜している。これにより、写真用ネガフィルム等の開口部の幅よりも長い原稿を原稿台に置く場合、原稿の曲がり方を緩やかにすることができるため、原稿の損傷を防ぐことができる。
【００１２】
本発明の請求項４に記載の透過原稿読み取り装置によると、原稿ガイドにはシェーディング補正用に白基準データを読み取るスリットが設けられている。
【００１３】
本発明の請求項５に記載の透過原稿読み取り装置によると、原稿ホルダは、外周に原稿ガイドの開口部から脱着を容易にするための取っ手を備えている。これにより、複数の原稿を複数の原稿ホルダを用いて繰り返し読み取る作業を行う場合、原稿ホルダの交換を短時間で行うことができる。
【００１４】
【発明の実施の形態】
以下、本発明の実施の形態を示す実施例を図面に基づいて説明する。
【００１５】
本発明の一実施例の画像読み取り装置の概略構造を図２、図３に示す。
【００１６】
読み取り装置本体１の上部に、ヒンジ５により回動可能な状態で接続一体化された原稿ガイド２と光源ユニット３が搭載されている。この光源ユニット３には、面光源７が設けられている。この面光源７は、図４に示すように略Ｕ字型の光源７１と導光板７２から構成されている。導光板７２の表面には、縦横に溝が設けられており、この溝は光源７１からの光を反射し導光板７２から垂直に原稿を照射する。またこの溝は、光源７１から遠くなるほど間隔が狭くなるように刻まれているため原稿をほぼ均一に照射することができる。
【００１７】
読み取り装置本体１上面には、ガラス等の透明板からなる原稿台４が設けられている。この原稿台４は、原稿の位置合わせをするためのガイドがある原稿台周辺部１１よりも低くなっており、この部分に一体化された前記原稿ガイド２と光源ユニット３を嵌め込むことで固定することができる。読み取り装置本体１内部には、図示しない駆動装置により原稿台４に平行に移動するキャリッジ６が設けられている。光源ユニット３内の面光源７から出た照射光は、透過原稿１０を透過し、キャリッジ６内の集光レンズ８を通ってラインセンサ９に集光されるようになっている。ラインセンサ９には、例えばＣＣＤ等の電荷蓄積型光センサが使用される。原稿ガイド２の開口部２１の周囲の内周面２３は、原稿ガイド２の上面側から下面側へと行くに従って開口部２１が狭くなるように傾斜している。また、原稿ガイド２の開口部２１とヒンジ５の接続部との間には、シェーディング補正のために白基準データを読み取るスリット２２が設けられており、面光源７の主走査方向の光量分布を直接ＣＣＤ等で読み取って白基準データとしている。
【００１８】
図５は、原稿ホルダ３１に写真用フィルム３３を６本保持した状態を示している。写真用フィルム３３は、この原稿ホルダ３１の翼型突起３４、３５に差し込んだ状態で通されているので原稿ホルダへの取り付けおよび取り外しが容易である。
【００１９】
また、この原稿ホルダには、取っ手３２が設けられており、前記原稿ガイド２の開口部２１から脱着を容易にすることができ、繰り返し作業が容易である。
【００２０】
図６は、前記の読み取り装置本体１と開口部２１に写真用フィルム３３を保持した原稿ホルダ３１を嵌め込んだ原稿ガイド２と光源ユニット３との位置関係を示している。ここで原稿ガイド２の内周面２３が傾斜していることにより写真用フィルム３３を原稿ホルダ１１に保持した状態で原稿ガイド２の開口部２１に嵌め込むと、写真用フィルム３３の原稿台４への曲がり方が緩やかになり、焦点が合いやすくなると同時にフィルムの損傷も防ぐことができる。
【００２１】
次に、上記のように構成された画像読み取り装置により、複数枚の原稿を読み取るときの動作を説明する。図１に示すように、ステップ１０１でまず光源の電源を入れる。次に、ステップ１０２で原稿ガイド２の開口部２１内に透過原稿１０を置く。このとき、透過原稿１０を原稿ホルダ３１に保持した状態で嵌め込むこともできる。次いでステップ１０３で光源ユニット３を閉じ、読み取り装置本体１に接続された図示しないパーソナルコンピュータからの指示により、ステップ１０４で１組目の原稿の読み取りを行う。次に、ステップ１０５で光源ユニット３を開き、ステップ１０６で読み取った原稿を取り出す。次に、ステップ１０７でこのまま読み取りを続けるかどうかを判断し、原稿の読み取りを続ける場合は、ステップ１０２、１０３、１０４、１０５、１０６の操作を繰り返し行い原稿を読み取る。原稿の読み取りを終了する場合は、ステップ１０８に進み光源のスイッチを切る。
【００２２】
上記のステップ１０２の操作により、透過原稿１０の位置合わせを簡略化することができるので作業を短時間で実施でき、複数枚、複数組の原稿を読み取るときに原稿読み取り開始から終了までの所要時間を短縮することができる。
【００２３】
本実施例によれば、面光源７を有する光源ユニット３と原稿の位置および方向を固定する原稿ガイド２を一体化した状態で読み取り装置本体１の原稿台４に搭載することができるため、常に読み取り装置の適正な領域で読み取り作業を行うことができる。
【００２４】
また本実施例によれば、一体化した前記光源ユニット３と原稿ガイド２は、読み取り装置本体１への取り付けおよび取り外しが容易であるため、一体化した状態で運搬や保管をすることが可能である。
【００２５】
さらに本実施例によれば、原稿ガイド２の開口部２１には、原稿を差し込むことで固定できる脱着可能な原稿ホルダ３１を嵌め込むことができ、前もって原稿を差し込んだ状態で原稿ホルダ３１を原稿ガイド２の開口部に嵌め込むことで、繰り返し複数の原稿を読み取る作業を行う場合、原稿の位置合わせが容易となり作業を短時間で行うことができる。
【００２６】
またさらに本実施例によれば、原稿ホルダ３１には、取り出しを容易にするための取っ手３２が設けられているので繰り返し原稿ホルダ３１を交換して読み取り作業を行う場合、原稿ホルダ３１の交換を短時間で行うことができる。
【００２７】
またさらに本実施例によれば、原稿ガイド２に設けられた白基準補正用のスリット２２を通過した光量を直接読み取ってシェーディング補正用の白基準データとすることができる。
【図面の簡単な説明】
【図１】本発明の実施例による複数枚の原稿を読み取るときの手順を示すフローチャートである。
【図２】本発明の実施例による透過原稿読み取り装置の概略構造を示すブロック図である。
【図３】本発明の実施例による透過原稿読み取り装置の斜視図である。
【図４】本発明の実施例による面光源の概略平面図である。
【図５】本発明の実施例による原稿ホルダの概略平面図である。
【図６】本発明の実施例による透過原稿読み取り装置の概略横断面図である。
【符号の説明】
１    読み取り装置本体
２    原稿ガイド
３    光源ユニット
４    原稿台
５    ヒンジ
６    キャリッジ
７    面光源
８    集光レンズ
９    ラインセンサ
１０    透過原稿
１１    原稿台周辺部
２１    開口部
２２    白基準補正用スリット
２３    内周面
３１    原稿ホルダ
３２    取っ手
３３    フィルム
３４、３５  翼型突起
７１    光源
７２    導光板
【図１】
0003669145.tif 000002
【図２】
0003669145.tif 000003
【図３】
0003669145.tif 000004
【図４】
0003669145.tif 000005
【図５】
0003669145.tif 000006
【図６】
0003669145.tif 000007